(57)【特許請求の範囲】
【請求項１】
動力伝達軸の外周側に、該動力伝達軸に連絡された遠心振子ダンパを有する遠心振子ダンパ付き動力伝達装置であって、
前記動力伝達軸と前記遠心振子ダンパとの径方向間に配設され、所定の回転要素を含む、遠心振り子ダンパの断接機構と、
該所定の回転要素まで潤滑油を供給する潤滑油供給手段と、を備え、
前記所定の回転要素の回転により、前記遠心振子ダンパにおける要潤滑部位に潤滑油を供給する
ことを特徴とする遠心振子ダンパ付き動力伝達装置。
【請求項２】
前記断接機構に隣接配置された遊星歯車セットを更に備え、
該遊星歯車セットの所定の要素とケース部材とを連結する連結部材が前記断接機構と前記要潤滑部位との間の径方向間に亘って配設され、
前記連結部材に形成された連通部を介して前記潤滑油が前記所定の回転要素から前記要潤滑部位に供給される
ことを特徴とする請求項１に記載の遠心振子ダンパ付き動力伝達装置。
【請求項３】
前記遊星歯車セットは、サンギヤ、ピニオンキャリヤ及びリングギヤを有し、
前記連結部材は、前記リングギヤと前記ケース部材を連結する
ことを特徴とする請求項２に記載の遠心振子ダンパ付き動力伝達装置。
【請求項４】
前記潤滑油供給手段は、前記動力伝達軸上に設けられた他の所定の回転要素を有し、該他の所定の回転要素の回転により、前記所定の回転要素に潤滑油を供給する
ことを特徴とする請求項１から３のいずれか１項に記載の遠心振子ダンパ付き動力伝達装置。
【請求項５】
前記遠心振子ダンパは、前記動力伝達軸に連絡するための支持部と、該支持部に対して揺動可能に支持された遠心質量部と、を備え、
前記要潤滑部位は、前記支持部に対して前記遠心質量部が揺動するために、相対移動が生じる部位である
ことを特徴とする請求項１から４のいずれか１項に記載の遠心振子ダンパ付き動力伝達装置。
【請求項６】
前記遠心振子ダンパは、前記動力伝達軸に連絡するための第１支持部と、該第１支持部に対して揺動可能に支持された第２支持部と、を備え、
前記要潤滑部位は、前記第１支持部に対して前記第２支持部が揺動するために、相対移動が生じる部位である
ことを特徴とする請求項１から４のいずれか１項に記載の遠心振子ダンパ付き動力伝達装置。
【請求項７】
前記断接機構は、前記動力伝達軸と前記遠心振子ダンパとの間の動力伝達経路上に介設されている
ことを特徴とする請求項１から６のいずれか１項に記載の遠心振子ダンパ付き動力伝達装置。
【請求項８】
前記遊星歯車セットは、前記動力伝達軸と前記遠心振子ダンパとの間の動力伝達経路上に介設され、前記動力伝達軸の回転を増速するように構成されている
ことを特徴とする請求項１から７のいずれか１項に記載の遠心振子ダンパ付き動力伝達装置。
【請求項９】
前記遊星歯車セットは、前記断接機構と前記遠心振子ダンパとの間の動力伝達経路上に介設されている
ことを特徴とする請求項８に記載の遠心振子ダンパ付き動力伝達装置。
【発明の詳細な説明】
【技術分野】
【０００１】
本発明は、車両等の動力伝達装置に関し、特に、遠心振子ダンパを有する動力伝達装置に関する。
【背景技術】
【０００２】
車両等を駆動するエンジンにおいて、燃費性能の向上のために、高負荷時は全筒運転を行い、低負荷時は一部気筒を休止させる減筒運転を行うように制御する多気筒エンジンが実用化されている。
【０００３】
しかし、一般に、気筒数が少ないほど間欠爆発に起因してトルク変動が増大し、複数の気筒の点火間隔が不均一になるとトルク変動が増大するので、減筒運転時は全筒運転時に比べてトルク変動が増加する傾向があり、この傾向はエンジンが低回転であるほど顕著になる。
【０００４】
また、燃費性能の更なる向上のために、予混合圧縮着火（以下、「ＨＣＣＩ」（Homogeneous-Charge Compression Ignition）という。）燃焼を適用したエンジンの実用化が試みられているが、全運転領域でＨＣＣＩ燃焼を行うのは現時点では困難であるため、例えば、低回転低負荷域ではＨＣＣＩ燃焼モードとし、高回転域や高負荷域では火花点火（以下、「ＳＩ」（Spark Ignition）という。）燃焼モードとするように、運転領域に応じて燃焼モードを切り換えることが考えられている。
【０００５】
しかし、一般に、多点での自己着火によるバルク燃焼であるＨＣＣＩ燃焼は、火花点火による火炎伝播燃焼であるＳＩ燃焼よりもトルク変動が大きくなる傾向にある。そのため、このようなエンジンの場合、ＨＣＣＩ燃焼モードで運転される低回転域では、大きなトルク変動が発生するおそれがある。
【０００６】
また、近年、エンジンの燃費性能の向上のために、自動変速機のトルコンレス化によってエンジンの伝達効率を向上させた車両が知られている。自動変速機のトルコンレス化に際しては、トルクコンバータの代わりに、例えば、ねじりダンパを採用することが検討されており、この場合、ねじりダンパを動力伝達経路上に設けることで、トルク変動はある程度吸収される。しかしながら、一般にねじりダンパは、予め設定された主要な周波数成分のトルク変動しか吸収できず、流体を介してトルクを伝達するトルクコンバータのように、トルク変動の周波数成分が複数あったり変動したりする場合、予め設定された周波数成分以外のトルク変動を吸収することが難しい。
【０００７】
上述のようなエンジンの減筒運転、ＨＣＣＩ燃焼又は自動変速機のトルコンレス化の技術を適用した車両は、特に低回転域でトルク変動によって発生したねじり振動が動力伝達系の共振によって増幅されて車両各部に振動と騒音を発生させるという課題があった。
【０００８】
これに対して、遠心振子ダンパを動力伝達軸に設けることが知られている。例えば、特許文献１には、動力伝達軸と遠心振子ダンパとの間を断接する断接機構を備えたものが開示されている。この断接機構は、異音の発生を防止するために、エンジンの低回転域で遠心振子ダンパへの動力伝達を遮断するものである。この異音の発生は、エンジンが始動時等に低回転域で運転され、これに伴い遠心振子ダンパが設けられた動力伝達軸の回転速度も低速となる際、振子に作用する遠心力が小さいので、この遠心力による反トルクよりも大きなトルク変動が生じたときに振子が揺動して周辺部材と接触することに起因し、特許文献１のものは、これを防止するものである。
【先行技術文献】
【特許文献】
【０００９】
【特許文献１】特開２０１４−２２８００９号公報
【発明の概要】
【発明が解決しようとする課題】
【００１０】
ところが、特許文献１の先行技術では、遠心振子ダンパの径方向外側に配置された質量体である振子と支持部材との間の相対移動部位に潤滑油を供給する必要があり、そのための専用の潤滑油供給経路を設けることが考えられるが、動力伝達装置の大型化につながるおそれがある。
【００１１】
本発明は、遠心振子ダンパ付き動力伝達装置に関する上述のような実情に鑑みてなされたもので、専用の潤滑油供給経路を設けることなく、遠心振子ダンパに潤滑油を供給することを課題とする。
【課題を解決するための手段】
【００１２】
前記課題を解決するため、本発明に係る遠心振子ダンパ付き動力伝達装置は、次のように構成したことを特徴とする。
【００１３】
まず、本願の請求項１に記載の発明は、
動力伝達軸の外周側に、該動力伝達軸に連絡された遠心振子ダンパを有する遠心振子ダンパ付き動力伝達装置であって、
前記動力伝達軸と前記遠心振子ダンパとの径方向間に配設され、所定の回転要素を含む、遠心振り子ダンパの断接機構と、
該所定の回転要素まで潤滑油を供給する潤滑油供給手段と、を備え、
前記所定の回転要素の回転により、前記遠心振子ダンパにおける要潤滑部位に潤滑油を供給する
ことを特徴とする。
【００１４】
また、請求項２に記載の発明は、前記請求項１に記載の遠心振子ダンパ付き動力伝達装置において、
前記断接機構に隣接配置された遊星歯車セットを更に備え、
該遊星歯車セットの所定の要素とケース部材とを連結する連結部材が前記断接機構と前記要潤滑部位との間の径方向間に亘って配設され、
前記連結部材に形成された連通部を介して前記潤滑油が前記所定の回転要素から前記要潤滑部位に供給される
ことを特徴とする。
【００１５】
また、請求項３に記載の発明は、前記請求項２に記載の遠心振子ダンパ付き動力伝達装置において、
前記遊星歯車セットは、サンギヤ、ピニオンキャリヤ及びリングギヤを有し、
前記連結部材は、前記リングギヤと前記ケース部材を連結する
ことを特徴とする。
【００１６】
また、請求項４に記載の発明は、前記請求項１から３のいずれか１項に記載の遠心振子ダンパ付き動力伝達装置において、
前記潤滑油供給手段は、前記動力伝達軸上に設けられた他の所定の回転要素を有し、該他の所定の回転要素の回転により、前記所定の回転要素に潤滑油を供給する
ことを特徴とする。
【００１７】
また、請求項５に記載の発明は、前記請求項１から４のいずれか１項に記載の遠心振子ダンパ付き動力伝達装置において、
前記遠心振子ダンパは、前記動力伝達軸に連絡するための支持部と、該支持部に対して揺動可能に支持された遠心質量部と、を備え、
前記要潤滑部位は、前記支持部に対して前記遠心質量部が揺動するために、相対移動が生じる部位である
ことを特徴とする。
【００１８】
また、請求項６に記載の発明は、前記請求項１から４のいずれか１項に記載の遠心振子ダンパ付き動力伝達装置において、
前記遠心振子ダンパは、前記動力伝達軸に連絡するための第１支持部と、該第１支持部に対して揺動可能に支持された第２支持部と、を備え、
前記要潤滑部位は、前記第１支持部に対して前記第２支持部が揺動するために、相対移動が生じる部位である
ことを特徴とする。
【００１９】
また、請求項７に記載の発明は、前記請求項１から６のいずれか１項に記載の遠心振子ダンパ付き動力伝達装置において、
前記断接機構は、前記動力伝達軸と前記遠心振子ダンパとの間の動力伝達経路上に介設されている
ことを特徴とする。
【００２０】
また、請求項８に記載の発明は、前記請求項１から７のいずれか１項に記載の遠心振子ダンパ付き動力伝達装置において、
前記遊星歯車セットは、前記動力伝達軸と前記遠心振子ダンパとの間の動力伝達経路上に介設され、前記動力伝達軸の回転を増速するように構成されている
ことを特徴とする。
【００２１】
また、請求項９に記載の発明は、前記請求項８に記載の遠心振子ダンパ付き動力伝達装置において、
前記遊星歯車セットは、前記断接機構と前記遠心振子ダンパとの間の動力伝達経路上に介設されている
ことを特徴とする。
【発明の効果】
【００２２】
前記の構成により、請求項１に記載の発明によれば、動力伝達軸と遠心振子ダンパとの径方向間に配設され、所定の回転要素を含む断接機構と、所定の回転要素まで潤滑油を供給する潤滑油供給手段と、を備え、所定の回転要素の回転により、遠心振子ダンパにおける要潤滑部位に潤滑油を供給するので、専用の潤滑油供給経路を設けることなく、断接機構の回転要素の回転を利用して遠心振子ダンパに潤滑油を供給することができる。
【００２３】
また、請求項２に記載の発明によれば、断接機構に隣接配置された遊星歯車セットを更に備え、遊星歯車セットの所定の要素とケース部材とを連結する連結部材が断接機構と要潤滑部位との間の径方向間に亘って配設され、連結部材に形成された連通部を介して潤滑油が所定の回転要素から要潤滑部位に供給されるので、増速機構と変速機ケースとを連結する連結部材が断接機構と遠心振子ダンパとの間に配設される場合であっても、連通部を介して遠心振子ダンパに潤滑油を供給することができる。
【００２４】
また、請求項３に記載の発明によれば、遊星歯車セットは、サンギヤ、ピニオンキャリヤ及びリングギヤを有し、連結部材は、リングギヤとケース部材を連結するので、連結部材がリングギヤとケース部材との間に配設される場合であっても、連通部を介して遠心振子ダンパに潤滑油を供給することができる。
【００２５】
また、請求項４に記載の発明によれば、潤滑油供給手段は、動力伝達軸上に設けられた他の所定の回転要素を有し、該他の所定の回転要素の回転により、所定の回転要素に潤滑油を供給するので、動力伝達軸の回転により所定の回転要素に潤滑油を供給することができる。
【００２６】
一方、請求項５に記載の発明によれば、遠心振子ダンパは、動力伝達軸に連絡するための支持部と、該支持部に対して揺動可能に支持された遠心質量部と、を備え、要潤滑部位は、支持部に対して遠心質量部が揺動するために、相対移動が生じる部位であるので、遠心質量部が支持部に対して常にスムーズに揺動可能な状態を実現することができ、遠心振子ダンパによって確実にエンジンのトルク変動を抑制することができる。
【００２７】
また、請求項６に記載の発明によれば、遠心振子ダンパは、前記動力伝達軸に連絡するための第１支持部と、該第１支持部に対して揺動可能に支持された第２支持部と、を備え、
前記要潤滑部位は、前記第１支持部に対して前記第２支持部が揺動するために、相対移動が生じる部位であるので、第２支持部が第１支持部に対して常にスムーズに揺動可能な状態を実現することができ、遠心振子ダンパによって確実にエンジンのトルク変動を抑制することができる。
【００２８】
また、請求項７に記載の発明によれば、断接機構は、動力伝達軸と遠心振子ダンパとの間の動力伝達経路上に介設されているので、動力伝達軸が比較的高回転にて運転される状況下において、断接機構により動力伝達軸から遠心振子ダンパへの動力伝達を遮断することで、遠心振子ダンパが増速機構により増速されないようにできる。そのため、遠心振子ダンパをその信頼性確保のために高速回転時の遠心力に耐える構造とする必要がなく、遠心振子ダンパの大型化を抑制しながら信頼性を確保することができる。また、トルク変動が相対的に、又は比較的大きい低回転域では、断接機構を接続することで、遠心振子ダンパによってトルク変動を吸収することができる。
【００２９】
また、請求項８に記載の発明によれば、遊星歯車セットは、動力伝達軸と遠心振子ダンパとの間の動力伝達経路上に介設され、動力伝達軸の回転を増速するように構成されているので、遊星歯車セットによって遠心振子ダンパの振子の回転速度が増し、遠心振子ダンパの大型化を回避しながら制振性能を向上させることができる。
【００３０】
また、請求項９に記載の発明によれば、遊星歯車セットは、断接機構と遠心振子ダンパとの間の動力伝達経路上に介設されているので、断接機構の切断時は、動力伝達軸から遊星歯車機構及び遠心振子ダンパへ動力が伝達されなくなり、動力伝達装置のイナーシャを小さくできるので、燃費性能を向上させることができる。
【図面の簡単な説明】
【００３１】
【図１】本発明の実施形態に係る遠心振子ダンパ付き動力伝達装置を備えた車両駆動系の振動モデルを示す図である。
【図２】図１に示した遠心振子ダンパ付き動力伝達装置の増速機構の速度線図である。
【図３】図１に示した遠心振子ダンパ付き動力伝達装置の有利な実施形態を示す縦断面図である。
【発明を実施するための形態】
【００３２】
以下、本発明の実施形態について説明する。
【００３３】
図１は、本発明の実施形態に係る遠心振子ダンパ付き動力伝達装置を備えた車両駆動系の振動モデルを示す図である。図１に示すように、駆動源であるエンジン１から、図示しない駆動輪への回転を変速する変速機構２への動力伝達は、遠心振子ダンパ付き動力伝達装置１０（以下、単に「動力伝達装置１０」という。）を介して行われる。
【００３４】
動力伝達装置１０は、エンジン１の出力部材としてのエンジン側動力伝達部材３と、変速機構２のエンジン１側に配設された入力部材としての変速機側動力伝達部材９と、の間を連絡するねじりダンパ機構を備える。該ねじりダンパ機構は、エンジン側動力伝達部材３と変速機側動力伝達部材９の間に並列に連結された第１ばね部材５及び第２ばね部材７を備える。これにより、エンジン側動力伝達部材３の回転がばね部材５、７を介して変速機側動力伝達部材９側に伝達されるようになっている。なお、本実施形態の「変速機側動力伝達部材９」は、請求項１における「動力伝達軸」に相当する。
【００３５】
また、動力伝達装置１０は、変速機側動力伝達部材９に連絡された遠心振子ダンパ機構１１を備える。遠心振子ダンパ機構１１は、変速機側動力伝達部材９の回転を増速する増速機構である遊星歯車セット１２と、該遊星歯車セット１２を介して変速機側動力伝達部材９に連絡された遠心振子ダンパ１３と、変速機側動力伝達部材９から遠心振子ダンパ１３への動力伝達を断接可能な断接機構であるクラッチ機構１４と、を備える。
【００３６】
本実施形態において、遊星歯車セット１２は、シングルピニオンタイプであり、回転要素として、サンギヤ２１と、リングギヤ２３と、サンギヤ２１及びリングギヤ２３に噛み合うピニオン２２を支持するピニオンキャリヤ２４（以下、単に「キャリヤ２４」と略記する。）と、を有する。
【００３７】
そして、この遊星歯車セット１２のキャリヤ２４には変速機側動力伝達部材９がクラッチ機構１４を介して連絡されると共に、サンギヤ２１には遠心振子ダンパ１３が連絡されており、また、リングギヤ２３には第１ケース部材２ａが連結されることでその回転が制止されている。
【００３８】
また、クラッチ機構１４における遠心振子ダンパ１３側の回転要素である遊星歯車セット１２のサンギヤ２１の回転数を検出する回転数センサ１５を備える。
【００３９】
次に、図２を参照しながら、遊星歯車セット１２による増速について説明する。
【００４０】
図２は、図１に示した動力伝達装置１０の増速機構である遊星歯車セット１２の速度線図である。なお、図２において、サンギヤ２１、キャリヤ２４及びリングギヤ２３をそれぞれ「Ｓ」、「Ｃ」及び「Ｒ」と略記する。図２に示すように、リングギヤ２３が固定されているため、キャリヤ２４に入力軸９から入力された回転は、サンギヤ２１とキャリヤ２４の歯数比Ｚs：Ｚcに基づいて変速されてサンギヤ２１から出力される。このとき、サンギヤ２１はキャリヤ２４と同じ回転方向に回転（正回転）するため、キャリヤ２４の入力回転数Ｎinとサンギヤ２１の出力回転数Ｎoutは、Ｎout＝Ｎin×（Ｚs＋Ｚc）／Ｚsの関係が成立する。そのため、当然に、出力回転数Ｎout＞入力回転数Ｎinとなり、入力軸９から入力された回転は遊星歯車セット１２によって増速されて遠心振子ダンパ１３に伝達される。
【００４１】
次に、図３を参照しながら、本発明の動力伝達装置をトルコンレスの自動変速機に適用した具体例について詳細に説明する。
【００４２】
図３は、図１に示した動力伝達装置１０の有利な実施形態を示す縦断面図である。図３に示すように、動力伝達装置１０は、変速機構２を内部に収容する第１ケース部材２ａに結合された第２ケース部材２ｂの内部に収容されており、これら第１ケース部材２ａ及び第２ケース部材２ｂの中身を含めて自動変速機が構成され、エンジン１に結合されている。第２ケース部材２ｂは、軸方向のエンジン１側に開口部を有し、該開口部はカバー部材２ｃによって閉塞されている。第２ケース部材２ｂの内部空間は、カバー部材２ｃによってエンジン１側の空間Ａと変速機構２側の空間Ｂに分けられている。第１ケース部材２ａは、変速機構２が収容された空間Ｃのエンジン１側を空間Ｂに対して閉塞するように構成されている。変速機構２の入力軸９（図１の「変速機側動力伝達部材９」に対応）は、カバー部材２ｃを貫通して空間Ａ内にその先端部が突出するように設けられている。
【００４３】
（ねじりダンパ機構）
エンジン１側の空間Ａには、ねじりダンパ機構として、入力プレート４、第１コイルばね５（図１の「第１ばね部材５」に対応）、保持プレート６、第２コイルばね７（図１の「第２ばね部材７」に対応）及び出力プレート８が配設されている。
【００４４】
エンジン１の出力軸３（図１の「エンジン側動力伝達部材３」に対応）は、ドライブプレートを介して円板状の入力プレート４に固定され、出力軸３の回転に伴って入力プレート４が同心上を回転するように構成されている。入力プレート４には、保持プレート６が溶接等により固定されており、保持プレート６は、周方向に配置された複数の第１コイルばね５と、第１コイルばね５の内周側で周方向に配置された複数の第２コイルばね７と、を保持している。これらのコイルばね５、７は、動力伝達経路上で並列に配置されるように、保持プレート６の外周部が第１コイルばね５の一端に係合すると共に、保持プレート６の内周部が第２コイルばね７の一端に係合している。出力プレート８は、その外周部が第１コイルばね５及び第２コイルばね７の他端に係合すると共に、その内周部が変速機構２の入力軸９にスプライン嵌合している。これにより、エンジン１の出力軸３の回転は、コイルばね５、７を介して変速機構２の入力軸９側に伝達される。
【００４５】
また、第２ケース部材２ｂ内の変速機構２側の空間Ｂには、遊星歯車セット１２、遠心振子ダンパ１３、クラッチ機構１４及び回転数センサ１５が入力軸９の軸心上に配設されている。空間Ｂのエンジン１側には、内周側に遊星歯車セット１２が、その外周側に遠心振子ダンパ１３がそれぞれ配置されている。遊星歯車セット１２の変速機構２側には、クラッチ機構１４が設けられている。これら遊星歯車セット１２、遠心振子ダンパ１３、クラッチ機構１４及び回転数センサ１５について以下に詳細に説明する。
【００４６】
（増速機構）
遊星歯車セット１２は、前述のように、キャリヤ２４に支持されたピニオン２２がサンギヤ２１とリングギヤ２３とに直接噛み合ったシングルピニオン型遊星歯車セットで構成されている。
【００４７】
遊星歯車セット１２は、入力軸９と遠心振子ダンパ１３との径方向間に配設されている。遊星歯車セット１２のキャリヤ２４は、後述するクラッチ機構１４のクラッチハブ４１と連結され、クラッチ機構１４を介して変速機構２の入力軸９と連絡されている。また、サンギヤ２１は、後述する遠心振子ダンパ１３の支持部材３１に連結部材３４を介して連絡されている。更に、リングギヤ２３は、第１ケース部材２ａに連結部材２５を介して連結されている。
【００４８】
ここで、変速機構２の入力軸９が回転してクラッチ機構１４が接続されると、遊星歯車セット１２のキャリヤ２４が回転する。そして、リングギヤ２３が第１ケース部材２ａに連結され、その回転が制止されているため、キャリヤ２４の回転に伴ってサンギヤ２１が回転する。ここで、前述のように、キャリヤ２４の回転に対して、サンギヤ２１の回転は、サンギヤ２１に対するキャリヤ２４の歯数比に応じて増速される。したがって、入力軸９から入力された回転は、遊星歯車セット１２によって増速されて遠心振子ダンパ１３に伝達される。
【００４９】
（遠心振子ダンパ）
遠心振子ダンパ１３は、円環板状の支持部材３１と、該支持部材３１に支持された質量体である複数の振子３２と、を備える。支持部材３１及び振子３２には、軸方向に貫通する長穴３１ａ、３２ａがそれぞれ形成され、これらの長穴３１ａ、３２ａ内に周方向の前後に移動可能に挿通された複数の支持ピン３３によって、各振子３２は、支持部材３１に対して軸心から所定半径の円周上の点を中心として揺動可能に支持されている。
【００５０】
そして、支持部材３１は、遊星歯車セット１２のエンジン側を径方向外方に延びる円環板状の連結部材３４によって、遊星歯車セット１２のサンギヤ２に連結されている。連結部材３４は、内周部が外周部に比べて軸方向のエンジン１側に位置するように形成されている。遊星歯車セット１２は、この連結部材３４の内周部の軸方向の変速機構２側に配設されている。
【００５１】
ここで、入力軸９が回転すると、遊星歯車セット１２のサンギヤ２１の回転に伴って支持部材３１が回転する。これに伴って、支持部材３１にトルク変動が伝達されると、支持部材３１の長穴３１ａ内で支持ピン３３が周方向の前後に揺動し、更に支持ピン３３に対して振子３２が長孔３２ａの範囲内で周方向の前後に揺動する。振子３２が揺動すると、振子３２に作用する遠心力を受ける支持部材３１に周方向の分力が発生し、この分力が支持部材３１乃至入力軸９のトルク変動を抑制する反トルクとして働く。
【００５２】
なお、本実施形態では、質量体の重さを大きくして制振性能を向上させるために、支持部材３１を軸方向両側から挟むように振子３２が対となって設けられ、各対の振子３２は共通の支持ピン３３によって一体的に揺動可能に支持されている。
【００５３】
また、回転数センサ１５によって支持部材３１の回転速度を検知するために、支持部材３１には、外周面に円周方向に沿って並べられた多数の図示しない被検出歯が形成されている。
【００５４】
（潤滑油の供給）
ここで、振子３２が支持部材３１に対して常にスムーズに揺動可能とするために、支持部材３１の長穴３１ａの内周面と長穴３１ａ内で周方向の前後に揺動可能な支持ピン３３の外周面との間、振子３２の長穴３２ａの内周面と長穴３２ａ内で周方向の前後に揺動可能な支持ピン３３の外周面との間には、部材間の摩擦を低減するための潤滑油を供給する必要がある。
【００５５】
まず、図示しないオイルポンプから第１ケース部材２ａに内周側に向かって形成された油路２ａ２に供給された潤滑油が、油路２ａ１を軸方向のエンジン１側に流れてクラッチ機構１４に向けて供給される。
【００５６】
そして、クラッチ機構１４に向けて供給された潤滑油の一部は、クラッチ機構１４のクラッチドラム４２に軸方向のエンジン１側に向かって形成された油路４２ａを流れてピストン４３の背部にある遠心バランス室４９に供給される。また、クラッチ機構１４に向けて供給された潤滑油の一部は、クラッチドラム４２と入力軸９との間に設けられたスプライン欠歯部を通って軸方向のエンジン１側にある軸受部まで流れ、該軸受部を介してクラッチドラム４２の回転によって径方向外側にあるクラッチハブ４１まで供給される。クラッチハブ４１に供給された潤滑油は、クラッチハブ４１を貫通して設けられた連通孔４１ａを介してクラッチハブ４１の回転によって径方向外側にある摩擦板４４に供給される。この潤滑油は、クラッチ機構１４の摩擦板４４の潤滑に用いられた後、クラッチドラム４２の回転によって径方向外側にある連結部材２５まで供給される。そして、連結部材２５を貫通して設けられた連通孔２５ａを介して、遠心振子ダンパ１３の変速機２側の振子３２に向けて供給される。
【００５７】
したがって、遠心振子ダンパ１３の要潤滑部位には、クラッチ機構１４のクラッチドラム４２及びクラッチハブ４１の回転によって潤滑油が供給される。
【００５８】
（断接機構）
クラッチ機構１４は、図３に示すように、同心状に配置されたクラッチハブ４１及びクラッチドラム４２と、該クラッチハブ４１とクラッチドラム４２との間に配設され、これらに交互に係合された複数の摩擦板４４と、複数の摩擦板４４を押圧するピストン４３と、を備える。
【００５９】
クラッチドラム４２は、入力軸９にスプライン嵌合されており、入力軸９の回転に伴って軸心周りを回転するように構成されている。クラッチハブ４１は、エンジン１側の端部が遊星歯車セット１２のキャリヤ２４に結合されている。そして、互いに対向するクラッチドラム４２の円筒部とクラッチハブ４１の円筒部との間に、これらに交互に係合された複数の摩擦板４４が配設されている。クラッチドラム４２の内部には、摩擦板４４を押圧するピストン４３が配置されている。クラッチドラム４２とピストン４３によって、締結用油圧が供給される油圧室４６が画定されている。また、油圧室４６への油圧非供給時に摩擦板４４の締結を解放するようにピストン４３を付勢する皿ばねでなるリターンスプリング４７が設けられている。
【００６０】
油圧室４６に締結用油圧が供給されると、この締結用油圧によりピストン４３を介して摩擦板４４が押し付けられてクラッチ機構１４が締結される。
【００６１】
なお、本実施形態では、ピストン４３の背部に遠心バランス室形成部材４８を備え、該遠心バランス室形成部材４８とピストン４３によって遠心バランス室４９が画定されている。遠心バランス室４９に作動油を導入することで、該作動油に作用する遠心力によって、油圧室４６内の作動油に作用する遠心力をキャンセルして、クラッチ機構１４の解放状態においてピストン４３が締結方向に移動することを抑制することができる。
【００６２】
（回転数センサ）
回転数センサ１５は、遠心振子ダンパ１３の回転速度に基づいた検出信号を出力するものであり、例えば、ピックアップコイル型、ホール素子型、磁気抵抗素子型等の磁気センサを用いることができる。
【００６３】
例えば、回転数センサ１５としてピックアップ式磁気センサを用いる場合、回転数センサ１５は、遠心振子ダンパ１３の支持部材３１の外周面を臨むように、カバー部材２ｃに固定されており、内蔵する回転検出素子によって支持部材３１の外周面に形成された被検出歯を検出することで、遠心振子ダンパ１３の回転速度に基づいた検出信号を出力するように構成されている。この検出信号に基づいてクラッチ機構１４の断接制御が行われる。
【００６４】
（動力伝達装置の作用）
次に、以上のような構成を備えた動力伝達装置１０の作用について説明する。
【００６５】
まず、エンジン１の動力は、ねじりダンパ機構に伝達され、このとき、エンジン１のトルク変動は、動力伝達装置１０のねじりダンパ機構に入力され、このねじりダンパ機構である程度は吸収される。このねじりダンパ機構から出力された動力は、その内周側にある変速機構２の入力軸９を介してクラッチ機構１４に伝達される。
【００６６】
次に、エンジン１の低回転時は、クラッチ機構１４が接続されることで、変速機構２の入力軸９から遊星歯車セット１２を介して遠心振子ダンパ１３へ動力が伝達される。このとき、入力軸９の回転は、リングギヤ２３が固定された遊星歯車セット１２のキャリヤ２４に入力されてサンギヤ２１から出力されるため増速される。遠心振子ダンパ１３は、増速されたサンギヤ２１の回転数で駆動される。このとき、ねじりダンパで吸収しきれなかったトルク変動が遠心振子ダンパ１３で吸収される。特に、遠心振子ダンパ１３は増速されているので、効率よくトルク変動が吸収される。
【００６７】
ここで、遠心振子ダンパ１３は、回転数センサ１５によってその支持部材３１の回転速度が検出されている。エンジン１が高回転になり、遠心振子ダンパ１３の回転速度が所定値を越えると、クラッチ機構１４が切断されて、変速機構２の入力軸９から遠心振子ダンパ１３に動力が伝達されなくなる。なお、遠心振子ダンパ１３の回転速度の所定値としては、遠心振子ダンパ１３に作用する遠心力等を考慮して、遠心振子ダンパ１３の大型化を抑制しながら信頼性を確保することができる最高回転数が設定されている。
【００６８】
また、本実施形態では、動力伝達装置１０は、変速機構２の入力軸９の回転速度を検出するための図示しない入力軸回転数センサを備えている。エンジン１が再び低回転になり、入力軸９の回転速度が所定値以下になると、クラッチ機構１４が接続される。なお、入力軸９の回転速度の所定値としては、クラッチ機構１４の接続時に遊星歯車セット１２によって増速された遠心振子ダンパ１３の回転速度が前述の最高回転数となるような入力軸９の回転速度が設定されている。
【００６９】
それ以降も、回転数センサ１５によって検出された遠心振子ダンパ１３の回転速度と、入力軸回転数センサによって検出された入力軸９の回転速度と、に基づいて、クラッチ機構１４が断接制御される。なお、クラッチ機構１４の断接制御を入力軸回転数センサの検出値のみに基づいて行ってもよい。
【００７０】
なお、遠心振子ダンパ１３の回転速度を直接測定する回転数センサ１５は、クラッチ機構１４の断接制御に直接的には用いられず、回転数センサ１５が故障した場合に、この故障を検知することでフェールセーフを実現するためのセンサである。回転数センサ１５の故障は、回転数センサ１５による遠心振子ダンパ１３の回転速度の検出値と、入力軸回転数センサの検出値に基づく遠心振子ダンパ１３の回転速度の算出値との比較によって検知される。
【００７１】
したがって、本実施形態によれば、入力軸９から遠心振子ダンパ１３への動力伝達を断接可能なクラッチ機構１４を備えており、入力軸９が比較的高回転にて運転される状況下において、クラッチ機構１４により入力軸９から遠心振子ダンパ１３への動力伝達を遮断することで、遠心振子ダンパ１３が遊星歯車セット１２により増速されないようにできるので、遠心振子ダンパ１３をその信頼性確保のために高速回転時の遠心力に耐える構造とする必要がなく、遠心振子ダンパ１３の大型化を抑制しながら信頼性を確保することができる。また、トルク変動が大きい低回転域では、クラッチ機構１４を接続することで、遠心振子ダンパ１３によってトルク変動を吸収することができる。すなわち、本実施形態によれば、遠心振子ダンパ１３の大型化及び高速回転することによる信頼性低下を回避しながら、トルク変動乃至車両の振動騒音が効果的に抑制される。
【００７２】
以上の構成により、上述の本実施形態によれば、入力軸９と遠心振子ダンパ１３との径方向間に配設され、クラッチハブ４１を含むクラッチ機構１４と、クラッチハブ４１まで潤滑油を供給する油路９ａ、２ａ１と、を備え、クラッチハブ４１の回転により、遠心振子ダンパ１３における要潤滑部位に潤滑油を供給するので、専用の潤滑油供給経路を設けることなく、クラッチ機構１４のクラッチハブ４１及びクラッチドラム４２の回転を利用して遠心振子ダンパ１３に潤滑油を供給することができる。
【００７３】
また、本実施形態によれば、クラッチ機構１４に隣接配置された遊星歯車セット１２を更に備え、遊星歯車セット１２のリングギヤ２３と第１ケース部材２ａとを連結する連結部材２５がクラッチ機構１４と要潤滑部位との間の径方向間に亘って配設され、連結部材２５に形成された連通孔２５ａを介して潤滑油がリングギヤ２３から要潤滑部位に供給されるので、遊星歯車セット１２と第１ケース部材２ａとを連結する連結部材２５がクラッチ機構１４と遠心振子ダンパ１３との間に配設される場合であっても、連通孔２５ａを介して遠心振子ダンパ１３に潤滑油を供給することができる。
【００７４】
また、本実施形態によれば、遊星歯車セット１２は、サンギヤ２１、ピニオンキャリヤ２４及びリングギヤ２３を有し、連結部材２５は、リングギヤ２３と第１ケース部材２ａを連結するので、連結部材２５がリングギヤ２３と第１ケース部材２ａとの間に配設される場合であっても、連通孔２５ａを介して遠心振子ダンパ１３に潤滑油を供給することができる。
【００７５】
一方、本実施形態によれば、遠心振子ダンパ１３は、入力軸９に連絡するための支持部材３１及び連絡部材３４と、該支持部材３１に対して揺動可能に支持された振子３２と、を備え、要潤滑部位は、支持部材３１に対して振子３２が揺動するために、相対移動が生じる部位であるので、振子３２が支持部材３１に対して常にスムーズに揺動可能な状態を実現することができ、遠心振子ダンパ１３によって確実にエンジン１のトルク変動を抑制することができる。
【００７６】
また、本実施形態によれば、遠心振子ダンパ１３は、入力軸９に連絡するための支持部材３１と、該支持部材３１に対して揺動可能に支持された支持ピン３３と、を備え、要潤滑部位は、支持部材３１に対して支持ピン３３が揺動するために、相対移動が生じる部位であるので、支持ピン３３が支持部材３１に対して常にスムーズに揺動可能な状態を実現することができ、遠心振子ダンパ１３によって確実にエンジン１のトルク変動を抑制することができる。
【００７７】
また、本実施形態によれば、断接機構は、入力軸９から遠心振子ダンパ１３への動力伝達を断接可能なクラッチ機構１４を備えており、入力軸９が比較的高回転にて運転される状況下において、クラッチ機構１４により入力軸９から遠心振子ダンパ１３への動力伝達を遮断することで、遠心振子ダンパ１３が遊星歯車セット１２により増速されないようにできるので、遠心振子ダンパ１３をその信頼性確保のために高速回転時の遠心力に耐える構造とする必要がなく、遠心振子ダンパ１３の大型化を抑制しながら信頼性を確保することができる。また、トルク変動が大きい低回転域では、クラッチ機構１４を接続することで、遠心振子ダンパ１３によってトルク変動を吸収することができる。
【００７８】
また、本実施形態によれば、遊星歯車セット１２は、入力軸９と遠心振子ダンパ１３との間の動力伝達経路上に介設され、入力軸９の回転を増速するように構成されているので、遊星歯車セット１２によって遠心振子ダンパ１３の振子３２の回転速度が増し、遠心振子ダンパ１３の大型化を回避しながら制振性能を向上させることができる。
【００７９】
また、本実施形態によれば、遊星歯車セット１２は、クラッチ機構１４と遠心振子ダンパ１３との間の動力伝達経路上に介設されているので、クラッチ機構１４の切断時は、入力軸９から遊星歯車セット１２及び遠心振子ダンパ１３へ動力が伝達されなくなり、動力伝達装置１０のイナーシャを小さくできるので、燃費性能を向上させることができる。
【００８０】
本発明は、例示された実施の形態に限定されるものではなく、本発明の要旨を逸脱しない範囲において、種々の改良及び設計上の変更が可能である。
【００８１】
例えば、本実施形態では、潤滑油を供給するためにシングルピニオンタイプの遊星歯車セット１２を用いるものについて記載したが、これに限らず、例えば、ダブルピニオンタイプの遊星歯車セット、複数の歯車が噛み合う歯車列等の変速機構を用いてもよい。また、遠心振子ダンパ１３の増速が不要な場合、この変速機構として、入力軸９の回転を減速して遠心振子ダンパに伝達する減速機構を用いてもよく、更に、等速のまま伝達する機構を用いてもよい。
【００８２】
また、本実施形態では、トルコンレスの自動変速機に適用したものについて記載したが、トルクコンバータを備えた自動変速機に適用してもよい。
【産業上の利用可能性】
【００８３】
以上のように本発明によれば、専用の潤滑油供給経路を設けることなく、遠心振子ダンパに潤滑油を供給できるので、この種の遠心振子ダンパ付き動力伝達装置又はこれが搭載される車両の製造技術分野において好適に利用される可能性がある。
【符号の説明】
【００８４】
２ａ  第１ケース部材（ケース部材）
９  入力軸（動力伝達軸）
１０  動力伝達装置
１２  遊星歯車セット（増速機構）
１３  遠心振子ダンパ
１４  クラッチ機構（断接機構）
２１  サンギヤ（サンギヤ要素）
２３  リングギヤ（リングギヤ要素）
２４  キャリヤ（ピニオンキャリヤ要素）
２５  連結部材
２５ａ  連通部
３１  支持部材（支持部、第１支持部）
３２  遠心質量部
３３  支持ピン（第２支持部）
【図１】
0006319256.tif 000002
【図２】
0006319256.tif 000003
【図３】
0006319256.tif 000004